(57)【要約】【課題】  簡単な構造でジャックのジャックのグランド端子等のグランドラインにもれる妨害電力をジャックから直近のシャーシへ導通でき、妨害電力のレベルを低減できる。【解決手段】  シャーシ１の後部のリアパネル２の内側のシャーシの上側に水平向きのプリント基板３を配設しリアパネルの内側に取り付けたジャック４の下面を基板の表面に接し、基板の裏面に形成したグランドパターン５にジャックのグランド端子４ａを半田付けしシャーシのジャックのグランド端子の近傍に基板の裏面に向け略半球状の隆起部６を形成し隆起部の上面とグランドパターンとの間の導電性ガスケット７を基板の裏面に接着しリアパネルとジャックとのビスじめ位置はガスケットを基板に押さえる位置に形成しジャックのグランド端子等のグランドラインにもれる妨害電力がグランド端子からグランドパターンと導電性ガスケットを経てシャーシへ導通しジャックへの妨害電力をシールドする。  【選択図】  図１
2005050682.tif 000002
【特許請求の範囲】
【請求項１】
シャーシの後部にリアパネルが取り付けられ、このリアパネルの内側であって前記シャーシの上側に水平向きのプリント基板が配設されていて、前記リアパネルの内側にはジャックが取り付けられ、このジャックの下面が前記基板の表面に接しており、前記ジャックへの妨害電力を前記基板の裏面側から前記シャーシに向けて導通させてシールドするようにしたジャックのシールド構造において、前記基板の裏面にグランドパターンが形成され、前記ジャックのグランド端子が前記基板の表面側から裏面の前記グランドパターンに半田付けされ、前記シャーシにおける前記ジャックのグランド端子の近傍位置に、前記基板の裏面に向けて略半球状の隆起部が形成されていて、この隆起部の上面と前記基板の裏面のグランドパターンとの間に双方に面接触する導電性ガスケットが配設され、この導電性ガスケットは前記基板の裏面に接着され、前記リアパネルと前記ジャックとのビスじめ位置は、前記ガスケットが基板に押さえつけられる位置に形成されていて、前記ジャックのグランド端子等のグランドラインにもれる妨害電力が前記グランド端子から前記グランドパターンと前記導電性ガスケットを経て前記シャーシへ導通して前記ジャックへの妨害電力をシールドするように構成したことを特徴とするジャックのシールド構造。
【請求項２】
シャーシの後部にリアパネルが取り付けられ、このリアパネルの内側であって前記シャーシの上側に水平向きのプリント基板が配設されていて、前記リアパネルの内側にはジャックが取り付けられ、このジャックの下面が前記基板の表面に接しており、前記ジャックへの妨害電力を前記基板の裏面側から前記シャーシに向けて導通させてシールドするようにしたジャックのシールド構造において、前記ジャックから前記基板の裏面までシールド端子が延設され、前記基板の裏面には前記グランド端子が接するグランドパターンが形成され、前記シャーシに前記基板側に向けて隆起部が形成され、前記グランドパターンに接着された導電性ガスケットが前記隆起部に接触されていて、前記ジャックのグランド端子等のグランドラインにもれる妨害電力を前記グランド端子から前記グランドパターンと前記導電性ガスケットを経て前記シャーシに導通してシールドするように構成したことを特徴とするジャックのシールド構造。
【請求項３】
前記基板における前記シャーシの隆起部の上側位置が開口され、前記隆起部のほぼ中央部にネジ穴が穿設されていて、前記基板上のローダの取付用脚部が前記開口部分に配設されて、前記ローダの取付用脚部から前記シャーシの隆起部のネジ穴にネジ部材を螺入することによって、前記ローダが基板上に取付固定されるようにした請求項２に記載のジャックのシールド構造。
【発明の詳細な説明】
【技術分野】
【０００１】
本発明は、シャーシの後部に取り付けられたリアパネルの内側であってシャーシの上側に水平向きのプリント基板が配設され、リアパネルの内側にジャックが取り付けられ、ジャックの下面が基板の表面に接していて、ジャックへの妨害電力を基板の裏面側からシャーシに向けて導通させてシールドするようにしたジャックのシールド構造に関するものである。
【背景技術】
【０００２】
従来のスカートジャックでは、シールド金具が付いたものは一般的に市販されてないので、このスカートジャックのグランド端子を近くのシャーシに接続することが困難であり、
このスカートジャックのグランド端子等のグランドラインへの妨害電力をシャーシに導通させることが行い難いという問題があった。
【０００３】
第１の従来技術を図４（ａ）（ｂ）、図５、図６に示す。シールド１１０ｂを有する平板状の接続対象物１１０を受け入れるハウジング１０２と、ハウジング１０２を回路基板上に固定するホールドダウン１０３を、ハウジング１０２内に配置されたコンタクト１０４と、ハウジング１０２に対して移動自在であり、且つハウジング１０２に対して所定位置で係止され、更に所定位置にある時に接続対象物１１０をコンタクト１０４に接触させる押圧部材１０５と含むコネクタ１０１において、ホールドダウン１０３は、導電性を有し、回路基板のグランドに接続されており、押圧部材１０５は、導電性を有し、押圧部材１０５が接続対象物１１０をコンタクト１０４に接触させている時にシールド１１０ｂ及びオールドダウン１０３に接触してこれらを電気的に接続するものである。（例えば、特許文献１参照）。
ところが、これにおいては、部品点数が多くて構造が複雑なもので、しかも押圧部材１０５を移動させる手間を要するものであった。
【０００４】
第２の従来技術を図７（ａ）（ｂ）、図８に示す。内部導体２０２と外部導体２０４とを含む複数のケーブル２０１と、各内部導体に接続されるための第１のパッド２２２と各外部導体に接続されるための第２のパッド２２３とを表面に配設したＦＣＰ２２１とを含むケーブル組立体であって、ＦＣＰは、第１のパッド２２２より延長して並列される第１の外部接続用パターン２２４と、第１の外部接続用パターン２２４の並列方向と離れて略平行して配置される第２の外部接続用パターン２２５とを備えており、第２の外部接続用パターン２２５は、裏面側に形成される導電層２２９を介して第２のパッド２２３と連結するように構成するものである。（例えば、特許文献２参照）。
シールドするためのケーブル２０１を必要とし、このケーブル２０１の内部導体１０２と外部導体２０４を露出しなくてはならないので、手間がかかるという問題があった。
【０００５】
【特許文献１】特開平９−２８９０６１号公報
【特許文献２】特開２０００−１９５６１９号公報
【発明の開示】
【発明が解決しようとする課題】
【０００６】
本発明は、上記従来の問題を解消し、簡単な構造でジャックのジャックのグランド端子等のグランドラインにもれる妨害電力をジャックから直近のシャーシへ導通させることができて、この妨害電力のレベルを低減することができるジャックのシールド構造を提供することを目的としている。
【課題を解決するための手段】
【０００７】
本発明は、上記課題を解決するために提案されたものであって、請求項１に記載の発明は、シャーシの後部にリアパネルが取り付けられ、このリアパネルの内側であって前記シャーシの上側に水平向きのプリント基板が配設されていて、前記リアパネルの内側にはジャックが取り付けられ、このジャックの下面が前記基板の表面に接しており、前記ジャックへの妨害電力を前記基板の裏面側から前記シャーシに向けて導通させてシールドするようにしたジャックのシールド構造において、前記基板の裏面にグランドパターンが形成され、前記ジャックのグランド端子が前記基板の表面側から裏面の前記グランドパターンに半田付けされ、前記シャーシにおける前記ジャックのグランド端子の近傍位置に、前記基板の裏面に向けて略半球状の隆起部が形成されていて、この隆起部の上面と前記基板の裏面のグランドパターンとの間に双方に面接触する導電性ガスケットが配設され、この導電性ガスケットは前記基板の裏面に接着され、前記リアパネルと前記ジャックとのビスじめ位置は、前記ガスケットが基板に押さえつけられる位置に形成されていて、前記ジャックのグランド端子等のグランドラインにもれる妨害電力が前記グランド端子から前記グランドパターンと前記導電性ガスケットを経て前記シャーシへ導通して前記ジャックへの妨害電力をシールドするように構成したことを特徴としている。
【０００８】
請求項２に記載の発明は、シャーシの後部にリアパネルが取り付けられ、このリアパネルの内側であって前記シャーシの上側に水平向きのプリント基板が配設されていて、前記リアパネルの内側にはジャックが取り付けられ、このジャックの下面が前記基板の表面に接しており、前記ジャックへの妨害電力を前記基板の裏面側から前記シャーシに向けて導通させてシールドするようにしたジャックのシールド構造において、前記ジャックから前記基板の裏面までシールド端子が延設され、前記基板の裏面には前記グランド端子が接するグランドパターンが形成され、前記シャーシに前記基板側に向けて隆起部が形成され、前記グランドパターンに接着された導電性ガスケットが前記隆起部に接触されていて、前記ジャックのグランド端子等のグランドラインにもれる妨害電力を前記グランド端子から前記グランドパターンと前記導電性ガスケットを経て前記シャーシに導通してシールドするように構成したことを特徴としている。
【０００９】
請求項３に記載の発明は、前記基板における前記シャーシの隆起部の上側位置が開口され、前記隆起部のほぼ中央部にネジ穴が穿設されていて、前記基板上のローダの取付用脚部が前記開口部分に配設されて、前記ローダの取付用脚部から前記シャーシの隆起部のネジ穴にネジ部材を螺入することによって、前記ローダが基板上に取付固定されるようにしたものである。
【発明の効果】
【００１０】
以上説明したように、請求項１に記載の発明は、シャーシの後部にリアパネルが取り付けられ、このリアパネルの内側であってシャーシの上側に水平向きのプリント基板が配設されていて、リアパネルの内側にはジャックが取り付けられ、このジャックの下面が基板の表面に接しており、ジャックへの妨害電力を基板の裏面側からシャーシに向けて導通させてシールドするようにしたジャックのシールド構造において、基板の裏面にグランドパターンが形成され、ジャックのグランド端子が基板の表面側から裏面のグランドパターンに半田付けされ、シャーシにおけるジャックのグランド端子の近傍位置に、基板の裏面に向けて略半球状の隆起部が形成されていて、この隆起部の上面と基板の裏面のグランドパターンとの間に双方に面接触する導電性ガスケットが配設され、この導電性ガスケットは基板の裏面に接着され、リアパネルとジャックとのビスじめ位置は、ガスケットが基板に押さえつけられる位置に形成されていて、ジャックのグランド端子等のグランドラインにもれる妨害電力がグランド端子からグランドパターンと導電性ガスケットを経てシャーシへ導通してジャックへの妨害電力をシールドするように構成したので、以下に述べる効果を奏する。
即ち、簡単な構造でジャックのグランド端子等のグランドラインにもれる妨害電力のレベルを低減することができる。また、市販の安価な導電性ガスケットを用いているので、安価に提供することができる。
【００１１】
請求項２に記載の発明は、シャーシの後部にリアパネルが取り付けられ、このリアパネルの内側であってシャーシの上側に水平向きのプリント基板が配設されていて、リアパネルの内側にはジャックが取り付けられ、このジャックの下面が基板の表面に接しており、ジャックへの妨害電力を基板の裏面側からシャーシに向けて導通させてシールドするようにしたジャックのシールド構造において、ジャックから基板の裏面までシールド端子が延設され、基板の裏面にはグランド端子が接するグランドパターンが形成され、シャーシに基板側に向けて隆起部が形成され、グランドパターンに接着された導電性ガスケットが隆起部に接触されていて、ジャックのグランド端子等のグランドラインにもれる妨害電力をグランド端子からグランドパターンと導電性ガスケットを経てシャーシに導通してシールドするように構成したので、以下に述べる効果を奏する。
即ち、簡単な構造でジャックのグランド端子等のグランドラインにもれる妨害電力のレベルを低減することができ、
【００１２】
請求項３に記載の発明は、基板におけるシャーシの隆起部の上側位置が開口され、隆起部のほぼ中央部にネジ穴が穿設されていて、基板上のローダの取付用脚部が開口部分に配設されて、ローダの取付用脚部からシャーシの隆起部のネジ穴にネジ部材を螺入することによって、ローダが基板上に取付固定されるようにしたので、ローダの取付用脚部の固定と導電性ガスケットを介した基板とシャーシの隆起部の固定とを同時に行うことができる。
【発明を実施するための最良の形態】
【００１３】
以下、本発明に係るジャックのシールド構造の実施の形態について、図を参照しつつ説明する。
図１は本発明のジャックのシールド構造の実施形態を示す縦断面図、図２は同構造に用いられるシャーシとリアパネルとを示す部分斜視図、図３は同構造の部分斜視図である。
【００１４】
本実施形態のジャックのシールド構造は、図１、図２、図３に示すように、シャーシ１の後部にリアパネル２が取り付けられ、このリアパネル２の内側であってシャーシ１の上側に水平向きのプリント基板３が配設されている。更に、リアパネル２の内側にはジャック４が取り付けられ、このジャック４の下面が基板３の表面に接している。
そして、基板３の裏面にグランドパターン５が形成され、ジャック４のグランド端子４ａが基板３の表面側から裏面のグランドパターン５に半田付けされている。更に、シャーシ１におけるジャック４のグランド端子４ａの近傍位置に、基板３の裏面に向けて略半球状の隆起部６が形成されていて、この隆起部６の上面と基板３の裏面のグランドパターン５との間に双方に面接触する導電性ガスケット７が配設され、この導電性ガスケット７は基板３の裏面に接着されている。
【００１５】
そして、リアパネル２とジャック４とのビスじめ位置は、導電性ガスケット７が基板３に押さえつけられる位置に形成されている。即ち、図２に示すように、リアパネル２の基板３との接する位置の上側近傍箇所にジャック４が外部に臨む開口部２ａが形成され、この開口部２ａの上側近傍にビス８（図１参照）が挿入される２つのビス穴２ｂ、２ｂ（図１、図３参照）が設けられている。
このビス穴２ｂ、２ｂに挿入されるビス８、８がジャック４の上部のネジ穴４ｂ、４ｂにねじ込まれてリアパネル２にジャック４が取り付け固定されるようになっている。そして、ビス止めされたジャック４の下面が基板３に接している。このことにより、導電性ガスケット７が基板３に押さえつけられるようになっている。
【００１６】
また、図１に示すように、基板３におけるシャーシ１の隆起部６の上側位置が開口され、隆起部６のほぼ中央部にネジ穴６ａが穿設されていて、基板３上のローダ９の取付用脚部９ａが開口部分３ａに配設されて、ローダ９の取付用脚部９ａからシャーシ１の隆起部６のネジ穴６ａにネジ部材１０を螺入することによって、ローダ９が基板３上に取付固定されるようにしている。
【００１７】
本実施形態によれば、基板３の裏面にグランドパターン５を形成し、シャーシ１に略半球状の隆起部６を形成し、これらのグランドパターン５と隆起部６の間に、基板３の裏面に接着され双方に面接触する導電性ガスケット７を配設し、グランドパターン５にジャック４のグランド端子４ａを半田付けするだけなので、簡単な構造でジャック４のグランド端子４ａ等のグランドラインにもれる妨害電力のレベルを低減することができる。また、市販の安価な導電性ガスケットを用いているので、安価に提供することができる。
【００１８】
また、基板３上のローダ９の取付用脚部９ａを基板３に設けた開口部分３ａに配設して、ローダ９の取付用脚部９ａからシャーシ１の隆起部６のネジ穴６ａにネジ部材１０を螺入することによって、ローダ９が基板３上に取付固定するようにしているので、ローダ９の取付用脚部９ａの固定と導電性ガスケット７を介した基板３とシャーシ１の隆起部６の固定とを同時に行うことができる。
【図面の簡単な説明】
【００１９】
【図１】本発明のジャックのシールド構造の実施形態を示す縦断面図である。
【図２】同構造に用いられるシャーシとリアパネルとを示す部分斜視図である。
【図３】同構造の部分斜視図である。
【図４】従来のシールド機構付きコネクタを示し、（ａ）はそのフレキシブルケーブルの挿入前の斜視図、（ｂ）はそのフレキシブルケーブルの挿入後の状態の斜視図である。
【図５】図４（ｂ）の状態における縦断面図である。
【図６】図４のコネクタの側面図である。
【図７】従来のケーブル組立体を示し、（ａ）はその斜視図、（ｂ）はその端末接続部分を示す分解斜視図である。
【図８】同ケーブル組立体におけるＦＰＣにケーブルが接続された状態を示す部分断面図である。
【符号の説明】
【００２０】
１          シャーシ
２          リアパネル
３          基板
３ａ        開口部分
４          ジャック
４ａ        グランド端子
５          グランドパターン
６          隆起部
６ａ        ネジ穴
７          導電性ガスケット
８          ビス
９          ローダ
９ａ        取付用脚部
１０        ネジ部材
【図１】
2005050682.tif 000003
【図２】
2005050682.tif 000004
【図３】
2005050682.tif 000005
【図４】
2005050682.tif 000006
【図５】
2005050682.tif 000007
【図６】
2005050682.tif 000008
【図７】
2005050682.tif 000009
【図８】
2005050682.tif 000010